(57)【要約】【課題】載置部に載置される媒体にしわが発生することを抑制できる記録装置を提供する。【解決手段】媒体Ｐに対して記録を行う記録ヘッドを備えるプリンターであって、媒体Ｐを載置可能な載置面１３を有する基台１２と、基台１２の載置面１３に載置される媒体Ｐを吸着する真空ポンプ１６とを備え、真空ポンプ１６は、基台１２の載置面１３に載置される媒体Ｐに対し、載置面１３の角部に対応する媒体部分から同媒体部分に対して載置面１３の長手方向Ｘにおいて反対側となる媒体部分にかけての順に吸着を行う。【選択図】図４
2015193092.tif 000002
【特許請求の範囲】
【請求項１】
媒体に対して記録を行う記録部を備える記録装置であって、
前記媒体を載置可能な載置面を有する載置部と、
前記載置部の前記載置面に載置される前記媒体を吸着する吸着部と
を備え、
前記吸着部は、前記載置部の前記載置面に載置される前記媒体に対して前記載置面に沿う方向の端部から順に吸着を行うことを特徴とする記録装置。
【請求項２】
前記載置部の前記載置面に沿う方向であって互いに直交する方向を第１の方向及び第２の方向とするとき、
前記端部は、前記載置部の前記載置面における前記第１の方向及び前記第２の方向の双方の端部である請求項１に記載の記録装置。
【請求項３】
前記記録部は、前記媒体のうち前記載置部の前記端部に載置される媒体部分から記録を開始する請求項１又は請求項２に記載の記録装置。
【請求項４】
前記載置部は、前記載置面に開口する複数の吸引孔と、該複数の吸引孔に連通する負圧室とを有し、
前記吸着部は、前記載置部の前記端部から前記負圧室内の空気を吸引して前記負圧室に負圧を発生させることにより、前記載置面に載置される前記媒体を前記吸引孔を介して吸引して前記載置面に吸着する請求項１〜３の何れか一項に記載の記録装置。
【請求項５】
前記負圧室は、前記載置部の前記端部からの距離が長くなるに従って、前記吸着部によって吸引される空気の流路断面積が次第に広くなる請求項４に記載の記録装置。
【請求項６】
前記複数の吸引孔は、前記載置部の前記載置面に対して前記端部から放射状に配置される請求項４又は請求項５に記載の記録装置。
【請求項７】
前記複数の吸引孔は、前記載置部の前記端部からの距離が長くなるに従って開口面積が次第に狭くなる請求項４〜６の何れか一項に記載の記録装置。
【請求項８】
前記複数の吸引孔は、前記載置部の前記端部からの距離が長くなるに従って孔密度が次第に小さくなる請求項４〜７の何れか一項に記載の記録装置。
【発明の詳細な説明】
【技術分野】
【０００１】
本発明は、媒体に対して記録を行う記録装置に関する。
【背景技術】
【０００２】
従来から、媒体に対して画像を形成することにより記録を行う記録装置が広く知られている（例えば、特許文献１参照）。こうした記録装置においては、吸着プレートの上面に形成された吸引孔内に負圧を発生させた状態で吸着プレートの上面に媒体が搬送される。そして、このような構成により、媒体における搬送方向の下流側の端部から順に吸着プレートの上面に媒体が吸着されるため、吸着プレートの上面に吸着された媒体にしわが発生することが抑制されている。
【先行技術文献】
【特許文献】
【０００３】
【特許文献１】特開２００３−２１１７４９号公報
【発明の概要】
【発明が解決しようとする課題】
【０００４】
ところで、上記記録装置において、吸着プレートの吸引孔内に負圧を発生させた状態で吸着プレートの上方から媒体を載置する場合には、吸着プレートの上面から媒体の全域に一斉に吸着力が作用するため、媒体にしわが発生しやすいという問題があった。
【０００５】
本発明は、このような実情に鑑みてなされたものであり、その目的は、載置部に載置される媒体にしわが発生することを抑制できる記録装置を提供することにある。
【課題を解決するための手段】
【０００６】
上記課題を解決する記録装置は、媒体に対して記録を行う記録部を備える記録装置であって、前記媒体を載置可能な載置面を有する載置部と、前記載置部の前記載置面に載置される前記媒体を吸着する吸着部とを備え、前記吸着部は、前記載置部の前記載置面に載置される前記媒体に対して前記載置面に沿う方向の端部から順に吸着を行う。
【０００７】
上記構成によれば、載置部の載置面に載置される媒体に対して媒体の一端側から他端側にかけて順に吸着動作が行われる。そのため、媒体が載置部の載置面に吸着される際に媒体にしわが発生することを抑制できる。
【０００８】
上記記録装置において、前記載置部の前記載置面に沿う方向であって互いに直交する方向を第１の方向及び第２の方向とするとき、前記端部は、前記載置部の前記載置面における前記第１の方向及び前記第２の方向の双方の端部であることが好ましい。
【０００９】
上記構成によれば、載置部の載置面に載置される媒体に対して媒体の端から順に吸着動作が行われる。そのため、媒体が載置部の載置面に吸着される際に媒体にしわが発生することを更に抑制できる。
【００１０】
上記記録装置において、前記記録部は、前記媒体のうち前記載置部の前記端部に載置される媒体部分から記録を開始することが好ましい。
上記構成によれば、載置部の載置面に載置される媒体に対して記録が開始される媒体部分から順に吸着動作が行われる。そのため、載置部の載置面に媒体が吸着される際に媒体の記録開始位置が位置ずれを生じることを抑制できる。
【００１１】
上記記録装置において、前記載置部は、前記載置面に開口する複数の吸引孔と、該複数の吸引孔に連通する負圧室とを有し、前記吸着部は、前記載置部の前記端部から前記負圧室内の空気を吸引して前記負圧室に負圧を発生させることにより前記載置面に載置される前記媒体を前記吸引孔を介して吸引して前記載置面に吸着することが好ましい。
【００１２】
上記構成によれば、載置部の載置面に形成された吸引孔には、載置部の端部に設けられた吸引孔から順に負圧が発生する。そのため、載置部の載置面に載置される媒体に対して媒体の一端側から他端側にかけて順に吸着動作を行う構成を実現できる。
【００１３】
上記記録装置において、前記負圧室は、前記載置部の前記端部からの距離が長くなるに従って、前記吸着部によって吸引される空気の流路断面積が次第に広くなることが好ましい。
【００１４】
上記構成によれば、載置部の載置面に形成された吸引孔には、載置部の端部から離れるに連れて負圧が発生するタイミングに時間差が生じやすくなる。そのため、媒体のうち載置部の端部に載置された媒体部分が吸着されてから隣り合う媒体部分が吸着されるまでの間に、媒体の形状を整える時間が確保される。したがって、媒体が載置部の載置面に吸着される際に媒体にしわが発生することを更に抑制できる。
【００１５】
上記記録装置において、前記複数の吸引孔は、前記載置部の前記載置面に対して前記端部から放射状に配置されることが好ましい。
上記構成によれば、媒体の一端側から他端側にかけて順に吸着動作が行われる際に、媒体にしわが発生することを抑制できる。
【００１６】
上記記録装置において、前記複数の吸引孔は、前記載置部の前記端部からの距離が長くなるに従って開口面積が次第に狭くなることが好ましい。
上記構成によれば、媒体のうち載置部の端部に載置される媒体部分が強固に吸着された状態で、その媒体部分を起点として媒体の一端側から他端側にかけて順に吸着動作が行われる。そのため、媒体が載置部の載置面に吸着される際に媒体にしわが発生することを抑制できる。
【００１７】
上記記録装置において、前記複数の吸引孔は、前記載置部の前記端部からの距離が長くなるに従って孔密度が次第に小さくなることが好ましい。
上記構成によれば、媒体のうち載置部の端部に載置される媒体部分が強固に吸着された状態で、その媒体部分を起点として媒体の一端側から他端側にかけて順に吸着動作が行われる。そのため、媒体が載置部の載置面に吸着される際に媒体にしわが発生することを抑制できる。
【図面の簡単な説明】
【００１８】
【図１】プリンターの一実施の形態の斜視図。
【図２】同実施の形態のプリンターの基台を模式的に示す横断面図。
【図３】同実施の形態のプリンターにおける吸引孔の配列を示す模式図。
【図４】同実施の形態のプリンターが基台の載置面に媒体を吸着させる際の作用図であって、（ａ）は、基台の載置面に媒体が載置された状態を示す模式図、（ｂ）は、図４（ａ）に示した状態から真空ポンプが駆動された状態を示す模式図、（ｃ）は、図４（ｂ）に示した状態から真空ポンプが更に駆動された状態を示す模式図。
【図５】（ａ）、（ｂ）は、別の実施の形態のプリンターにおける吸引孔の配列を示す模式図。
【発明を実施するための形態】
【００１９】
以下、記録装置をインクジェット式のプリンターに具体化した一実施の形態について図面を参照して説明する。
図１に示すように、プリンターは、床面に置かれる枠構造の支持架台１１を含んで構成される載置部の一例としての基台１２を備えている。基台１２の上面は、媒体Ｐが載置される矩形状の載置面１３となっており、この載置面１３には複数の吸引孔１４が開口している。また、基台１２の載置面１３の下部には、吸引孔１４に連通する負圧室１５が設けられており、この負圧室１５には吸着部の一例としての真空ポンプ１６が排気チューブ１７を介して接続されている。そして、真空ポンプ１６が駆動された場合には、負圧室１５が減圧雰囲気となることにより、基台１２の載置面１３に載置された媒体Pに対して吸引
孔１４を介して吸引力が作用する。
【００２０】
なお、図１及び図２に示すように、負圧室１５の底面は、基台１２の載置面１３の長手方向Ｘ（第１の方向）及び短手方向Ｙ（第２の方向）の双方の端部である角部Ａから載置面１３の長手方向Ｘへの距離が長くなるに連れて下り勾配の斜面となっている。そのため、負圧室１５は、基台１２の載置面１３の角部Ａから載置面１３の長手方向Ｘへの距離が長くなるに従って、同方向と直交する断面の開口面積が次第に広くなる。
【００２１】
また同様に、図１に示すように、負圧室１５の底面は、基台１２の載置面１３の角部Ａから載置面１３の短手方向Ｙへの距離が長くなるに連れて下り勾配の斜面となっている。そのため、負圧室１５は、基台１２の載置面１３の角部Ａから載置面１３の短手方向Ｙへの距離が長くなるに従って、同方向と直交する断面の開口面積が次第に広くなる。
【００２２】
基台１２における載置面１３の長手方向Ｘに沿う両側の側面には、ガイド溝１８（図１では片側のみ図示）が形成されている。このガイド溝１８には、一方向に長く延びる門型の液体噴射ユニット２０の下端部が載置面１３の長手方向Ｘに沿って往復移動可能に嵌合されている。そして、液体噴射ユニット２０は、ガイド溝１８にガイドされつつ載置面１３の長手方向Ｘに往復移動する。
【００２３】
液体噴射ユニット２０は、その長手方向に沿う主軸２４及び副軸２５を有している。これらの軸２４，２５には、その長手方向に沿って摺動可能にキャリッジ２６が支持されている。
【００２４】
液体噴射ユニット２０における両軸２４，２５の両端部と対応する位置には、駆動プーリー２７及び従動プーリー２８が回転自在に支持されている。駆動プーリー２７にはキャリッジ２６を往復移動させる際の駆動源となるキャリッジモーター２９の出力軸が連結されるとともに、これら一対のプーリー２７，２８の間には一部がキャリッジ２６に連結された無端状のタイミングベルト３０が掛装されている。したがって、キャリッジ２６は、両軸２４，２５にガイドされながら、キャリッジモーター２９の駆動力によって無端状のタイミングベルト３０を介して両軸２４，２５の長手方向に沿って移動する。
【００２５】
液体噴射ユニット２０の長手方向の一端側（図１では右端側）には、ＵＶ硬化型のインク（以下、「ＵＶインク」という）を収容したインクカートリッジ３１が配設されている。インクカートリッジ３１内のＵＶインクは、キャリッジ２６の下面に支持された記録部の一例としての記録ヘッド３２に向けてインク供給チューブ３３を通じて供給可能とされている。そして、記録ヘッド３２は、基台１２の載置面１３上に載置された媒体Ｐに対し、インクカートリッジ３１から供給されたＵＶインクを噴射することにより印刷を行う。
【００２６】
また、キャリッジ２６の両側面には、一対の照射器３５が支持されている。これらの照射器３５は、キャリッジ２６の移動方向において記録ヘッド３２を挟んだ両側に支持され
ている。そして、各照射器３５は、媒体Ｐに噴射されたＵＶインクにＵＶ光を照射することによりＵＶインクを硬化させる。
【００２７】
なお、図１及び図３に示すように、本実施の形態では、吸引孔１４は、基台１２の載置面１３に格子状に配置されており、隣り合う吸引孔１４同士の開口面積は、載置面１３の一つの角部Ａからの距離が相対的に短い吸引孔１４の方が大きい。すなわち、吸引孔１４は、基台１２の載置面１３の角部Ａからの距離が長くなるに連れて開口面積が次第に狭くなる。なお、本実施の形態では、これらの吸引孔１４を開口面積が広いものから順に、第１の吸引孔１４Ａ、第２の吸引孔１４Ｂ、第３の吸引孔１４Ｃ、第４の吸引孔１４Ｄ、及び第５の吸引孔１４Ｅと称する。この場合、角部Ａは、基台１２の載置面１３に載置された媒体Ｐのうち印刷が開始される媒体部分に対応しており、媒体Ｐに対して印刷を行う際の基準位置となっている。そして、液体噴射ユニット２０は、媒体Ｐのうち基台１２の載置面１３の角部Ａに載置された媒体部分から印刷を開始する。また、本実施の形態では、排気チューブ１７は、負圧室１５における載置面１３の角部Ａに対応する位置に接続されている。
【００２８】
次に、本実施の形態のプリンターの作用について、特に、媒体Ｐが基台１２の載置面１３に吸着される際の作用に着目して以下説明する。
まず、図４（ａ）に示すように、真空ポンプ１６の駆動を停止させた状態で、基台１２の載置面１３に媒体Ｐが載置される。この場合、基台１２の載置面１３に形成された吸引孔１４Ａ〜１４Ｅの開口が媒体Ｐによって上方から覆われる。
【００２９】
そして次に、図４（ｂ）に示すように、真空ポンプ１６の駆動が開始されると、負圧室１５内の空気が排気チューブ１７を通じて排気される。このとき、排気チューブ１７は、負圧室１５における載置面１３の角部Ａに対応する箇所から空気を排気する。そのため、基台１２の載置面１３に形成された複数の吸引孔１４Ａ〜１４Ｅのうち、載置面１３の角部Ａからの距離が最も短い第１の吸引孔１４Ａ内から空気が吸引されて負圧が発生する。そして、媒体Ｐのうち載置面１３の角部Ａに載置された媒体部分が載置面１３に吸着されることにより、同媒体部分に発生していたしわが除去される。
【００３０】
続いて、図４（ｃ）に示すように、真空ポンプ１６の駆動が継続されると、基台１２の載置面１３に形成された複数の吸引孔１４Ａ〜１４Ｅのうち、載置面１３の角部Ａからの距離が二番目に近い第２の吸引孔１４Ｂ内から空気が吸引されて負圧が発生する。すなわち、基台１２の載置面１３に形成された複数の吸引孔１４Ａ〜１４Ｅのうち、最初に負圧が発生した第１の吸引孔１４Ａと隣り合う第２の吸引孔１４Ｂ内に負圧が発生する。そして、媒体Ｐのうち既に載置面１３に吸着されていた媒体部分に隣り合う媒体部分が載置面１３に吸着されることにより、同媒体部分に発生していたしわが除去される。
その後、真空ポンプ１６の駆動が継続されると、第３の吸引孔１４Ｃ、第４の吸引孔１４Ｄ、第５の吸引孔１４Ｅにかけての順に空気が吸引されて負圧が発生する。すなわち、基台１２の載置面１３に開口した吸引孔１４Ａ〜１４Ｅのうち、載置面１３の角部Ａからの距離が近い吸引孔から順に空気が吸引されて負圧が発生する。その結果、媒体Ｐのうち既に載置面１３に吸着されていた媒体部分に隣り合う部分が順に載置面１３に吸着されることにより、媒体Ｐの全体に発生していたしわが除去される。
【００３１】
上記実施の形態によれば、以下に示す効果を得ることができる。
（１）基台１２の載置面１３に載置される媒体Ｐに対して媒体Ｐの一端側から他端側にかけて順に吸着動作が行われる。そのため、媒体Ｐが基台１２の載置面１３に吸着される際に媒体Ｐにしわが発生することを抑制できる。
【００３２】
（２）基台１２の載置面１３に載置される媒体Ｐに対して印刷が開始される媒体部分か
ら順に吸着動作が行われる。そのため、基台１２の載置面１３に媒体Ｐが吸着される際に媒体Ｐの印刷開始位置が位置ずれを生じることを抑制できる。
【００３３】
（３）吸引孔１４Ａ〜１４Ｅには、載置面１３の角部Ａに設けられた第１の吸引孔１４Ａから順に負圧が発生する。そのため、基台１２の載置面１３に載置される媒体Ｐに対して媒体Ｐの一端側から他端側にかけて順に吸着動作を行う構成を実現できる。
【００３４】
（４）負圧室１５は、載置面１３の角部Ａからの距離が長くなるに従って、真空ポンプ１６によって吸引される空気の流路断面積が次第に広くなる。そのため、基台１２の載置面１３に形成された吸引孔１４Ａ〜１４Ｅには、載置面１３の角部Ａから離れるに連れて負圧が発生するタイミングに時間差が生じやすくなる。そのため、媒体Ｐのうち載置面１３の角部Ａに載置された媒体部分が吸着されてから隣り合う媒体部分が吸着されるまでの間に、媒体Ｐの形状を整える時間が確保される。したがって、媒体Ｐが基台１２の載置面１３に吸着される際に媒体Ｐにしわが発生することを更に抑制できる。
【００３５】
（５）吸引孔１４Ａ〜１４Ｅは、載置面１３の角部Ａからの距離が長くなるに従って開口面積が次第に狭くなる。そのため、媒体Ｐのうち載置面１３の角部Ａに載置される媒体部分が強固に吸着された状態で、その媒体部分を起点として媒体Ｐの一端側から他端側にかけて順に吸着動作が行われる。そのため、媒体Ｐが基台１２の載置面１３に吸着される際に媒体Ｐにしわが発生することを抑制できる。
【００３６】
なお、上記実施の形態は、以下のような形態にて実施することもできる。
・上記実施の形態において、図５（ａ）に示すように、吸引孔１１４は、載置面１３の角部Ａからの距離が長くなるに従って、吸引孔１４の孔密度が次第に小さくなってもよい。この場合、全ての吸引孔１１４の開口面積が互いに等しくてもよいし、載置面１３の角部Ａからの距離が長くなるに従って吸引孔１１４の開口面積が次第に狭くなってもよい。
【００３７】
・上記実施の形態において、図５（ｂ）に示すように、吸引孔２１４は、基台１２の載置面１３の角部Ａを起点として載置面１３の長手方向Ｘ、短手方向Ｙ、及び対角線方向Ｃに放射状に配置されてもよい。この場合、吸引孔２１４は、各方向Ｘ，Ｙ，Ｃに等間隔に配置されてもよいし、載置面１３の角部Ａからの距離が長くなるに従って、各方向Ｘ，Ｙ，Ｃにおける吸引孔２１４の間の間隔が次第に広くなるように配置されてもよい。また、この場合、全ての吸引孔２１４の開口面積が互いに等しくてもよいし、載置面１３の角部Ａからの距離が長くなるに従って、吸引孔２１４の開口面積が次第に狭くなってもよい。
【００３８】
・上記実施の形態において、負圧室１５は、載置面１３の長手方向Ｘの全域に亘って同方向と直交する断面の開口面積が一定となる構成であってもよい。また、負圧室１５は、載置面１３の短手方向Ｙの全域に亘って同方向と直交する断面の開口面積が一定となる構成であってもよい。
【００３９】
・上記実施の形態において、排気チューブ１７は、負圧室１５のうち載置面１３の角部Ａとは載置面１３の長手方向Ｘにおいて反対側となる角部に対応する位置に接続されてもよい。この場合、媒体Ｐのうち記録ヘッド３２による印刷動作が開始される媒体部分とは載置面１３の長手方向Ｘにおいて反対側となる媒体部分を起点として載置面１３に対する吸着動作が行われる。
【００４０】
・上記実施の形態において、排気チューブ１７は、負圧室１５における載置面１３の短手方向Ｙの中央部分に対応する位置に接続されてもよい。この場合、排気チューブ１７は、負圧室１５のうち載置面１３の角部Ａを含む載置面１３の短辺の中央部分に接続されてもよいし、負圧室１５のうち載置面１３の角部Ａとは載置面１３の長手方向Ｘにおいて反
対側となる角部を含む載置面１３の短辺の中央部分に接続されてもよい。
【００４１】
・上記実施の形態において、基台１２は、載置面１３の下部に複数の吸引ファンを設け、これらの吸引ファンを駆動することにより媒体Ｐを載置面１３に吸着してもよい。この場合、基台１２は、複数の吸引ファンのうち、載置面１３の角部Ａからの距離が短い吸引ファンから順に駆動させることにより、基台１２の載置面１３に載置される媒体Ｐに対して媒体Ｐの一端側から他端側にかけて順に吸着動作が行われる。
【００４２】
・上記実施の形態において、基台１２は、載置面１３を帯電させることにより媒体Ｐを載置面１３に静電吸着してもよい。この場合、載置面１３のうち角部Ａからの距離が短い面部位から順に帯電させることにより、基台１２の載置面１３に載置される媒体Ｐに対して媒体Ｐの一端側から他端側にかけて順に吸着動作が行われる。
【００４３】
・上記実施の形態において、記録装置としてのプリンターは、インク以外の他の流体（液体や、機能材料の粒子が液体に分散又は混合されてなる液状体、ゲルのような流状体、流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して印刷を行う液状体噴射装置であってもよい。また、ゲル（例えば物理ゲル）などの流状体を噴射する流状体噴射装置、トナーなどの粉体（粉粒体）を例とする固体を噴射する粉粒体噴射装置（例えばトナージェット式印刷装置）であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体、粉粒体（粒体、粉体を含む）などが含まれる。
【符号の説明】
【００４４】
１２…載置部の一例としての基台、１３…載置面、１４，１４Ａ，１４Ｂ，１４Ｃ，１４Ｄ，１４Ｅ…吸引孔、１５…負圧室、１６…吸着部の一例としての真空ポンプ、３２…記録部の一例としての記録ヘッド、１１４，２１４…吸引孔、Ａ…端部の一例としての角部、Ｐ…媒体、Ｘ…第１の方向の一例としての載置面の長手方向、Ｙ…第２の方向の一例としての載置面の短手方向。
【図１】
2015193092.tif 000003
【図２】
2015193092.tif 000004
【図３】
2015193092.tif 000005
【図４】
2015193092.tif 000006
【図５】
2015193092.tif 000007